【事件の表示】
　平成　６年特許願第　５８１１１号「パチンコ機の屈曲樋取付構造」拒絶査定不服審判事件〔平成　７年　９月１９日出願公開、特開平　７−２４１３７２〕について、次のとおり審決する。
【結　論】
　本件審判の請求は、成り立たない。
【理　由】
１．手続きの経緯・本願補正発明
　本願は、平成６年３月２日の出願であって、平成１５年６月９日付で拒絶理由が通知され、平成１５年７月７日付で意見書並びに手続補正書が提出され、平成１６年２月９付で拒絶査定がなされ、平成１６年３月１８日に審判請求がなされ、平成１６年４月９日付で手続補正がなされたものである。　
　　　　　　　　　　　　　　　　　　　　　　　　　　　
２．平成１６年４月９日付の手続補正についての補正却下の決定　　　　　　　　　　　　　　　　　　　　　　　　　　　　　　　　
［補正却下の決定の結論］
　　平成１６年４月９日付の手続補正を却下する。
　　　　　　　　　　　　　　　　　　　　　　　　　　　
［理由］
（１）補正後の本願補正発明
　平成１６年４月９日付の手続補正により補正された特許請求の範囲の請求項１に係る発明は、平成１５年７月７日付の手続補正により補正された特許請求の範囲の請求項１に記載された発明を特定するための事項の限定に相当するものであるから、平成１６年４月９日付の手続補正は、平成６年改正前特許法第１７条の２第３項第２号の規定に適合している。
　　　　　　　　　　　　　　　　　　　　　　　　　　　
　そして、平成１６年４月９日付の手続補正により補正された特許請求の範囲の請求項１に係る発明は、その請求項１において特定される下記のとおりのものである。
　　　　　　　　　　　　　　　　　　　　　　　　　　
　「景品球タンク，景品球払出装置が組付けられるプラスチック製の機構板をパチンコ機裏面の遊技盤取付枠に装着してなるパチンコ機において、前記景品球タンクの景品球を景品球払出装置に導くプラスチック製の屈曲樋の一部に銛形の係合片を一体に突設し、前記機構板
の表側
　　　　　　　　　　　　　　　　　　　　　　　　　　　　　
（２）引用刊行物について
１）引用刊行物１について
　平成１５年６月９日付の拒絶の理由に引用された特開平５−２９３２３３号公報（以下、「引用刊行物１」という。）には、以下の事項が図面とともに記載されている。
　　　　　　　　　　　　　　　　　　　　　　　　　　　　　　　　　
・記載事項１
　「【０００２】【従来の技術】パチンコ機の球排出装置としては、機の裏機構盤に貯留タンクからのパチンコ球を機前面側の供給皿および受け皿へと導く排出樋と、その途中でパチンコ球の通過を規制する第１状態と通過を許容する第２状態に変換可能な排出機構を備え、パチンコ球の排出要求の発生時に要求数に応じた作動時間だけ排出機構を第２状態に変換するようにしたものがよく知られている。」
　　　　　　　　　　　　　　　　　　　　　　　　　　　　　　　　
・記載事項２
　「【００１４】【実施例】図１はパチンコ機１裏側の全体構成を示すもので、前面枠２の裏面には裏機構盤３が取り付けられ、裏機構盤３の右側下部に打球発射装置４の発射レバー、モータなどが配設される。５は前面枠２を開閉可能に支持する機枠で、前面枠２のフレーム内には遊技盤（図示せず）が着脱可能に取り付けられる。なお、パチンコ機１の片側には図示しない専用のカード式球貸し機が付設され、そのカードリーダにカードを挿入した状態で球貸しボタンを押すと、カードの残高度数の範囲でボタンの１回のオンにつき所定数の貸し球が後述する球排出装置２１を介してパチンコ機前面の供給皿もしくは受け皿に排出されるようになっている。
【００１５】裏機構盤３は図２でも示すように球貯留タンク７からのパチンコ球を前面側の供給皿および受け皿に導く排出樋８の下流部などを備える合成樹脂の一体成型品で、その背面側に各種ユニット部品などが組み付けられる。なお、裏機構盤３の中央部には遊技盤裏面の機構部に対応する形状の窓９が開口され、裏側から窓９を開閉するカバー（図示せず）が取り付けられる。１０は遊技盤裏面の集合樋からの入賞球を払出ユニット１６を介してパチンコ機１後方の回収樋へと排出する案内樋６を備える入賞球処理部、１１は球貯留タンク７内のパチンコ球の玉不足を検出するための検出器１２などのハーネスを束ねた信号回線、１３は供給皿へのガイド壁を保護する強度部材、１４は排出樋８の下流部を覆うカバー、１５は電源の配電盤を示す。」　　　　　　　　　　　　　　　　　　　　　　　　　　　　　
・記載事項３
　「【００１７】球排出装置２１は球貯留タンク７からのパチンコ球を２列に整流しながら流下させる誘導樋ユニット２２と、排出樋の上流部（並行路）を構成する排出ユニット２３および流路切換ユニット２４を備え、それぞれ裏機構盤３の所定位置にて取外し可能に組み付けられる。なお、組付け状態において誘導樋ユニット２２の下流部から排出ユニット２３および流路切換ユニット２４にかけてこれらを一体に覆うカバー（図示せず）が設けられる。２５Ａと２５Ｂはカバー取付け用の係止穴を示す。」
　　　　　　　　　　　　　　　　　　　　　　　　　　　　　
・記載事項４
　「【００２１】球貯留タンク７を裏機構盤３に取り付けるため、図５のように裏機構盤３の上部にはタンク７の前面側を受け入れる窪み状の凹部３７が形成され、凹部３７の両側にそれぞれ盤面から垂直に突出するボス部３８が上下に３個ずつ配設される。タンク７の両側には裏機構盤３のボス部３８に対する結合構造４０を持つフランジ３９が設けられる。
【００２２】結合構造４０は図６，図７のように上位と下位のボス部３８Ａ，３８Ｃを抱持する略円筒型の係合部４０Ａ，４０Ｃと、中間のボス部３８Ｂに嵌合する座面部４０Ｂと、上位ボス部３８Ａの係合穴３８ａとの固定部材としてのクリップ４０ａ（フランジ後面側のつまみを押し引きすると前面側の係止部が拡縮する）と、下位ボス部３８Ｃの挿入穴３８ｃに対するピン４０ｃとからなり、中間ボス部３８Ｂと座面部４０Ｂを結合する補助固定部材としてのネジ（図示せず）を備える。
【００２３】このため、タンク７は前面側を凹部３７内に納めた状態で両側の結合構造４０にて裏機構盤３に固定することができる。この場合、結合構造４０の係合部などはすべてこれらに対応するボス部３８と盤面の垂直方向に嵌合するので、タンク７内に貯留されるパチンコ球の荷重を十分に支持できる。また、タンク７を裏機構盤３の盤面に対して垂直方向から取り付けたり取り外したりできるので、これらの作業に対して盤面上のスペースを無駄に空ける必要もない。なお、タンク７内の荷重はタンク７を外す方向へ作用することがないので、クリップ４０ａの係合力で抜け止めが十分であれば、あえて補助固定部材としてのネジを使用しなくても良い。」
　　　　　　　　　　　　　　　　　　　　　　　　　　　　　
・記載事項５
　「【００２９】球貯留タンク７の開口２７から落下するパチンコ球を排出樋８の上流部に導く誘導樋ユニット２２は、図１０，図１１のようにパチンコ球を２列に整流しながら緩やかに流下させる上流部５０（誘導樋）と、そのパチンコ球を垂直方向への蛇行路に案内する下流部５１（流路変換部）とからなり、上流部５０の樋内には平行路５２を画成する分流壁５３が設けられる。なお、分流壁５３は樋下流に向かって段階的に高さが増す（最終的にはパチンコ球の径以上の高さに立ち上がる）ように形成される。
【００３０】下流部５１はケース状の第１と第２の流路構成部材５４、５５を基板５６を挟んで組み付けることにより作られ、その内部の基板５６両側に上流部５０の平行路５２とＵターン路５７を介して接続する垂直方向の蛇行路５８が形成される。下流部５１の内部には図１２，図１３のように各Ｕターン路５７の直前で樋の上に架設した軸５８にて上下方向へ揺動自由な可動片５９と、可動片５９の揺動から樋内のパチンコ球の玉切れ状態を検出する検出器６０が設けられる。なお、図１２は下流部５１内の一方の樋を、図１３は他方の樋をそれぞれ示す。」
　　　　　　　　　　　　　　　　　　　　　　　　　　　　　
・記載事項６
　「【００３６】そして、誘導樋ユニット２２は裏機構盤３の支持壁８０上に載せてリブ７５およびフランジ７８，７９などを介してクリップ７６ａ〜７６ｄやネジで結合することにより取り付けられるのであり、この場合樋内の荷重に対して支持壁８０上のリブ７５がこれを上流側から下流側にかけて樋の中央にてバランス良くしっかりと支持するため、ユニット上流部５０を所定の傾斜角度に保持つまり経時的な傾斜角度の変化をほぼ完全に防止でき、樋の奥行き方向の傾き防止にも有効となる。また、平行路５２の上流側と下流側で裏機構盤３に面する一方の樋壁側のフランジ７８と他方の樋壁のフランジ７９にてクリップ７６ｂ，７６ｃなどにより奥行き方向の前後でも支持するようにしたので、パチンコ球の重みによる曲げモーメントに対してさらに良好な支持剛性が得られることになる。なお、クリップ７６ａ〜７６ｄは球貯留タンク７のクリップ４０ａと同一構成のものが使用され、これらの係合力で抜け止めが十分であれば、あえて補助固定手段としてのネジを使用しなくても良い。」
　　　　　　　　　　　　　　　　　　　　　　　　　　　　　
・記載事項７
　「【００３８】排出ユニット２３は図２２〜図２５のようにケース状の第１と第２の流路構成部材１００と１０１ならびにカバー部材１０２を重ね合わせることにより作られ、その内部に誘導樋ユニット２２側の蛇行路５８に接続する調整路１０３が形成される。調整路１０３は主に上流側の垂直部１０４と下流側の傾斜部１０５とからなり、傾斜部１０５の下端付近でパチンコ球の流下を規制する排出機構１０６ならびにその直ぐ上流で排出球を検出する検出器１０７が設けられる。」
　　　　　　　　　　　　　　　　　　　　　　　　　　　　　
・記載事項８
　「【００４６】なお、排出ユニット２３の保守点検時などで裏機構盤３からこれを外した際に、ストッパ２０５の位置にも拠るが、リンク部材２００にて係止部材１１１を後退側に手動操作することで、ユニット２３内部のパチンコ球を容易に抜き取ることが可能となる。」
　　　　　　　　　　　　　　　　　　　　　　　　　　　　
・記載事項９
　「【００５０】排出ユニット２３を裏機構盤３に取り付けるため、図２６のように裏機構盤３の窓９右側には嵌合凹部１３５が設けられる。嵌合凹部１３５は流路切換ユニット２４の取付スペースも一体に形成したもので、凹部１３５の縁には両ユニット２３，２４を上下に位置決めするためのフランジ片１３６が、また凹部１３５の片側には排出ユニット２３下部を支持する係止部１３７と、流路切換ユニット２４下部を係止する抜止め部１３８が配設される。また、排出ユニット２３の取付位置側方には凹部１３５にセットされるユニット２３背面を係止する爪１３９付きの側壁１４０が盤面上に立設される。」
　　　　　　　　　　　　　　　　　　　　　　　　　　　　　　　　
・記載事項１０
　「【００５２】そして、排出ユニット２３は裏機構盤３の後方から前面側の段付き係合部１４１を嵌合凹部１３５にセットすると共に、背面側から側壁１４０の爪１３９で係止することによって取り付けられる。この場合、ユニット２３は調整路１０３を裏機構盤３に対して左右に隣接しながら前後に流路が曲がるように形成することで奥行き寸法（側面幅）は大きくなるが、裏機構盤３に面する横幅は左右の調整路１０３分の流路幅とほぼ同じ寸法で縦方向にストレートに収まるし、また排出機構１０６についてもこれを流路の前後位置つまり盤面上で調整路１０３と重なる位置関係に配設できるのであり、したがって樋側方への迫り出しが完全になくなるため、設置スペースの大幅な縮小が可能となる。
【００５３】ところで、排出制御回路１７（図１参照）であるが、玉切れ検出器６０のオフを条件に入賞球払出ユニット１６内の検出器の球有り検出時に賞球の排出を、また球貸し機からの排出要求に対して貸し球の排出を制御するもので、賞球の排出時には排出機構１０６のソレノイド１１２を駆動すると共に検出器１０７からの信号をもとに排出数をカウントし、これが所定の賞球数に達するとソレノイド１１２の駆動を停止する。また、この賞球の排出終了時に払出ユニット１６内の検出器からの信号に基づいて入賞球を１個排出するように払出機構を制御する。」
　　　　　　　　　　　　　　　　　　　　　　　　　　　　　　　　
・記載事項１１
　「【００６４】なお、排出ユニット２３ならびに流路切換ユニット２４はそれぞれソレノイド１１１，１１２および１６４を内蔵するので、これらの設置部に放熱孔１９０が形成される（図２２，図２８参照）。また、流路切換ユニット２４には保守点検時などで蛇行部１５６に溜まる埃を除去するための掃除孔１９１が設けられる。
【００６５】ところで、流路切換ユニット２４の分流路１５４は裏機構盤３に対する前後方向に分岐され、裏機構盤３の球抜き樋につながる連絡路を構成する溝１７０が蛇行路１５６に重なるように形成することで、奥行き方向のスペースの有効利用が図れ、分岐部１５７の開閉扉１５８を駆動するソレノイド１６４も流路の前後位置に配置できるのであり、また蛇行路１５６を裏機構盤３に対して左右に隣接しながら前後に流路が曲がるように形成したので、排出ユニット２３の場合と同じく盤面上での設置スペースの大幅な縮小が可能となる。
【００６６】裏機構盤３側の排出樋は図３２のように流路切換ユニット２４下流側の左右に並ぶ蛇行部１５６に開口する合流路１８２に形成され、合流路１８２の上流側にパチンコ機１前面の供給皿につながる導出口１８３が設けられる。合流路１８２の下流側は緩やかな傾斜部１８４を介して同じく受け皿に接続される。」
　　　　　　　　　　　　　　　　　　　　　　　　　　　　　　　　
　以上の記載事項１〜記載事項１１の記載及び図１〜図３２によれば、引用刊行物１には次の発明が記載されていると認められる。
　　　　　　　　　　　　　　　　　　　　　　　　　　　　　　
　「球貯留タンク７、払出ユニット１６が組付けられるプラスチック製の裏機構盤３をパチンコ機裏面の前面枠２に装着してなるパチンコ機において、球貯留タンク７のパチンコ球を払出ユニット１６に導く排出樋８を裏機構盤３に爪１３９を用いて取り付けるとともに、排出樋８の一部に当接するように裏機構盤３に位置決めするフランジ片１３６や係止部１３７を配設してなるパチンコ機の排出樋の取付構造」（以下、「引用刊行物１に記載された発明」という。）
　　　　　　　　　　　　　　　　　　　　　　　　　　　　　
２）引用刊行物２について
　平成１５年６月９日付の拒絶の理由に引用された特開平１−９７４８６号公報（以下、「引用刊行物２」という。）には、以下の事項が図面とともに記載されている。
　　　　　　　　　　　　　　　　　　　　　　　　　　　　　　
・記載事項１
　「第１図において１はパチンコ機の遊技盤２の裏面２ｂに直接に螺子３（あるいはステープル等）で取りつけられた絶縁性のセット板である。セット板１は合成樹脂（ポリサルホン）製で、その表面１ａには３本の球通路４が一体で成型されている。」（公報２頁左下欄７行〜１２行）
　　　　　　　　　　　　　　　　　　　　　　　　　　　　　　
・記載事項２
　「また、不実施例ではセット板１と球通路４とをポリサルホン樹脂で一体成型したが、これに限らず、セット板１をガラスエポキシ樹脂にしてプリント配線した後、そのセット板１にＡＢＳ樹脂の球通路４を二重成型しても良い。とりつけ方は第３図、第４図に示すように球通路４の適当個所に設けた突部４ａをセット板１に設けた孔部に嵌め込んで一体に成型する。なお、突部４ａに掛合部４ｂを設けたものと設けないものとがある（第４図（イ）、（ロ）参照）。また、第５図に示すようにセット板１に入賞孔５や入賞装置の取付孔６等をプレスで打抜き球通路４に爪部４ｃを設けてこれをセット板１の爪止部１ｂに掛合させて固定してもよい。掛合のしかたは第６図の通りである。」（公報３頁右上欄７行〜同左下欄１行）
　　　　　　　　　　　　　　　　　　　　　　　　　　　　　　
　以上の記載事項１〜記載事項１の記載及び第１図〜第１３図によれば、引用刊行物２には次の技術事項が記載されていると認められる。
　　　　　　　　　　　　　　　　　　　　　　　　　　　　　
　「合成樹脂（ポリサルホン）製の球通路４を合成樹脂（ポリサルホン）製のセット板１に一体的に取り付け、セット板に爪止部１ｂを設けると共に、球通路４に爪部４ｃを突設するように設けるパチンコ機の球通路の取付構造」（以下、「引用刊行物２に記載された技術事項」という。）
　　　　　　　　　　　　　　　　　　　　　　　　　　　
（３）本願補正発明についての検討
１）引用刊行物１に記載された発明との対比
　引用刊行物１に記載された発明と本願補正発明を対比すると、引用刊行物１に記載された発明の「払出ユニット１６」は本願補正発明の「払出装置」に相当し、以下同様に、「裏機構盤３」は「機構板」、「前面枠２」は「遊技盤取付枠」、「排出樋８」は「屈曲樋」、「爪１３９」は「銛形の係合片」にそれぞれ相当している。
　そして、引用刊行物１に記載された発明は、以下の構成を実質的に具備しているといえる。
　　　　　　　　　　　　　　　　　　　　　　　　　　　　　　
・実質的具備事項１
　引用刊行物１に記載事項１０の「・・・【００５３】ところで、排出制御回路１７（図１参照）であるが、・・・入賞球払出ユニット１６内の検出器の球有り検出時に賞球の排出を、・・・制御するもので、賞球の排出時には排出機構１０６のソレノイド１１２を駆動すると共に検出器１０７からの信号をもとに排出数をカウントし、これが所定の賞球数に達するとソレノイド１１２の駆動を停止する。また、この賞球の排出終了時に払出ユニット１６内の検出器からの信号に基づいて入賞球を１個排出するように払出機構を制御する。」なる記載および図１に基づけば、入賞球払出ユニット１６は、排出樋８を介して賞球として球貯留タンク７から導いたパチンコ球を排出していることは明らかであり、引用刊行物１に記載された発明の「賞球」および「入賞球」はすなわち「景品球」のことに他ならないから、引用刊行物１に記載された発明の「球貯留タンク７」は「景品球タンク」といい換えることができるとともに、貯留している賞球を排出樋８を介して入賞球払出ユニット１６に供給しているものであり、かつ、「入賞球払出ユニット１６」を「景品球払出装置」といい換えることができることは明らかである。
　そして、引用刊行物１に記載された発明の「払出ユニット１６」「屈曲した排出樋」は、本願補正発明の「払出装置」「屈曲樋」に相当していることは上記（３）本願補正発明についての検討１）引用刊行物１に記載された発明との対比の冒頭で示したとおりである。
　そうすると、引用刊行物１に記載された発明は、「景品球タンクから景品球を屈曲樋を介して景品球払出装置に供給する」構成を実質的に具備しているということができる。
　　　　　　　　　　　　　　　　　　　　　　　　　　　　　　
・実質的具備事項２
　引用刊行物１の記載事項９の「【００５０】排出ユニット２３を裏機構盤３に取り付けるため、図２６のように裏機構盤３の窓９右側には嵌合凹部１３５が設けられる。嵌合凹部１３５は流路切換ユニット２４の取付スペースも一体に形成したもので、凹部１３５の縁には両ユニット２３，２４を上下に位置決めするためのフランジ片１３６が、また凹部１３５の片側には排出ユニット２３下部を支持する係止部１３７と、流路切換ユニット２４下部を係止する抜止め部１３８が配設される。また、排出ユニット２３の取付位置側方には凹部１３５にセットされるユニット２３背面を係止する爪１３９付きの側壁１４０が盤面上に立設される。」なる記載、同記載事項１０の「【００５２】そして、排出ユニット２３は裏機構盤３の後方から前面側の段付き係合部１４１を嵌合凹部１３５にセットすると共に、背面側から側壁１４０の爪１３９で係止することによって取り付けられる。・・・」なる記載、および図２６に基づけば、位置決めするフランジ片１３６や係止部１３７は、裏機構盤から排出樋側に突出して設けてあることは明らかであり、かつ、排出ユニット２３と流路切換ユニット２４とから構成される排出樋８は、そのフランジ片や係止部を用いて位置決めされ、爪１３９は排出ユニットの背面に係止されて、裏機構盤３の嵌合凹部１３５に嵌合されて取り付けられるものであるから、その機能から見て、引用刊行物１に記載された発明の「フランジ片１３６や係止部１３７」は、本願補正発明の「位置決片」といい換えることができる。
　そして、引用刊行物に記載された発明の「裏機構盤」「屈曲した排出樋」は、本願補正発明の「機構板」「屈曲樋」に相当していることは上記（３）本願補正発明についての検討１）引用刊行物１に記載された発明との対比の冒頭で示したとおりである。
　そうすると、引用刊行物に記載された発明は、「機構板に屈曲樋の一部に当接するように位置決片を突設する」構成を実質的に具備しているということができる。
　　　　　　　　　　　　　　　　　　　　　　　　　　　　　　　　
　そこで、本願補正発明と引用刊行物１に記載された発明を対比すると、
　「景品球タンク、景品球払出装置が組付けられるプラスチック製の機構板をパチンコ機裏面の遊技盤取付枠に装着してなるパチンコ機において、景品球タンクの景品球を景品球払出装置に導く屈曲樋を機構板に銛形の係合片を用いて取り付けると共に、屈曲樋の一部に当接するように機構板に位置決片を突設してなるパチンコ機の屈曲樋取付構造」の点で一致し、以下の点で相違している。
　　　　　　　　　　　　　　　　　　　　　　　　　　　　　　
＜相違点１＞ 
　屈曲樋が、本願補正発明においてはプラスチック製であるのに対して、引用刊行物１に記載された発明の屈曲樋がプラスチック製か否か不明な点。　　　　　　　　　　　　　　　　　　　　　　　　　　　　　　　
＜相違点２ ＞
　本願補正発明においては、銛形の係合片が屈曲樋側から突設していると共に、その突設した銛形の係合片が機構板側に設けた隆起部の中の孔に受容されるのに対して、引用刊行物１に記載された発明においては、銛形の係合片が機構板側から突設していると共に、その突設した銛形の係合片が屈曲樋の背面に係合される点。
　　　　　　　　　　　　　　　　　　　　　　　　　　　　
（４）判断
　上記相違点について検討する。
＜相違点１について＞
　引用刊行物２の記載事項２の「また、不実施例ではセット板１と球通路４とをポリサルホン樹脂で一体成型したが、これに限らず、セット板１をガラスエポキシ樹脂にして・・・、そのセット板１にＡＢＳ樹脂の球通路４を二重成型しても良い。とりつけ方は第３図、第４図に示すように球通路４の適当個所に設けた突部４ａをセット板１に設けた孔部に嵌め込んで一体に成型する。・・・また、第５図に示すようにセット板１に入賞孔５や入賞装置の取付孔６等をプレスで打抜き球通路４に爪部４ｃを設けてこれをセット板１の爪止部１ｂに掛合させて固定してもよい。掛合のしかたは第６図の通りである。」なる記載および第１図、３図、５図に基づけば、引用刊行物２に記載された技術事項のＡＢＳ樹脂製のそれぞれの球通路４は、それぞれ屈曲して入賞球（ここで、入賞球は引用刊行物１に記載された入賞球や賞球と異なり、入賞孔に入球したパチンコ球そのものを指している）を遊技盤面上の所用の箇所に導く樋であり、各図から樋の形状は屈曲していることは明らかであるから屈曲樋といい換えることができ、セット板１はその樋が取り付けられるものであるから機構板といい換えることができ、爪部４ｃは銛形の形状をしているのであるから銛形の係止片といい換えることができ、かつ、それらの機能から見ても、引用刊行物２に記載された技術事項の「球通路４」「セット板１」「爪部４ｃ」は、本願補正発明の「屈曲樋」「機構板」「銛形の係止片」に相当していることは明らかである。また、合成樹脂がプラスチックといい換えることができることは説明を要しない程度に周知なことに過ぎない。
　そうすると、引用刊行物２には以下の発明が記載されているということができる。
　「機構板に爪止部を設けると共に、屈曲樋に銛形の係止片を突設するように設けて、機構板の爪止部に屈曲樋の銛形の係止片を嵌合させることにより、プラスチック製の屈曲樋をプラスチック製の機構板に一体的に取り付けるパチンコ機の屈曲樋取付構造」（以下、「引用刊行物２に記載された発明」という。）
　そして、引用刊行物１に記載された発明および引用刊行物２に記載された発明はともにパチンコ機の機構板への屈曲樋の取付構造で関連する技術であるから、相互に利用することに格別の困難性はない。
　そうすると、引用刊行物１に記載された発明の屈曲樋に代えて、引用刊行物２に記載された発明のプラスチック製の屈曲樋とすること、すなわち上記相違点１に係る構成とすることは、当業者が容易になし得る程度のことという他はない。
　　　　　　　　　　　　　　　　　　　　　　　　　　　　　　
＜相違点２について＞
　上記相違点１において示したように、引用刊行物２に記載された発明には、機構板に爪止部を設けると共に、屈曲樋に銛形の係止片を突設するように設けて、機構板の爪止部に屈曲樋の銛形の係止片を嵌合させることにより、プラスチック製の屈曲樋をプラスチック製の機構板に一体的に取り付けるパチンコ機の屈曲樋の取付構造を有している。
　ところで、一般的に部材と部材を一体的に着脱自在に固着して取り付ける場合に、装着する側の部材、装着される側の部材に、それぞれ係合部と被係合部を設け、これら係合部と被係合部は、固着機能を有すればよいのであるから、その係合部と被係合部はいずれかの部材に相互に設けられていれば良く、かつ、相互に両者を係合した際に、係合部を受け入れるように、被係合部を隆起させるとともに係合部を受容する孔を設け、さらに、係合部が被係合部に係合された状態で、係合部が被係合部の受容する孔を設けた側の反対側の面から突き抜けないようにすることは、固着技術分野における周知慣用される技術にすぎない（以下、「周知慣用技術」という。必要であれば、特許から見た機械要素便覧〔固着〕、発行日昭和５５年９月２５日、編集特許庁、発行　社団法人発明協会頁６８〜７１を参照のこと）。
　そして、引用刊行物１に記載された発明および引用刊行物２に記載された発明はともにパチンコ機の機構板への屈曲樋取付構造の技術で関連するのであるから、相互に技術利用することに格別の困難性は見出すことができず、かつ、引用刊行物１に記載された発明が属するパチンコ技術分野における固着手段として、固着手段に関する周知慣用技術を採用することに格別の困難性を見出すことができないことは明らかである。
　そうすると、引用刊行物１に記載された発明の機構板側の銛形の係合片と屈曲樋側の背面との係合による取付構造に代えて、引用刊行物２に記載された発明の取付構造を採用する際に、上記周知慣用技術を参酌して、機構板側の爪止部を隆起部とし、その隆起部の中に設けた孔と屈曲樋側の銛形の係合片との係合による取付構造とすると共に、係合片が隆起部に係合した状態で、銛形の係合片を受容する隆起部の孔を設けた側の反対側の面から突き抜けないように、屈曲樋を機構板に取り付けること、すなわち上記相違点２に係る構成となすことは、当業者が容易になし得る程度のことということができる。
　　　　　　　　　　　　　　　　　　　　　　　　　　　　　
　以上のとおり、本願補正発明は、引用刊行物１に記載された発明および引用刊行物２に記載された発明並びに周知慣用技術に基づいて、当業者が容易に発明できたものである。
　　　　　　　　　　　　　　　　　　　　　　　　　　　　　
（５）作用効果
　本願補正発明によって奏する効果も、引用刊行物１に記載された発明および引用刊行物２に記載された発明並びに周知慣用技術に基づいて、普通に予測できる範囲内のものであって格別のものがあるとは認められない。
　　　　　　　　　　　　　　　　　　　　　　　　　　　　　
（６）むすび
　上記のとおりであるので、本願補正発明は、引用刊行物１に記載された発明および引用刊行物２に記載された発明並びに周知慣用技術に基づいて、当業者が容易に発明をすることができたものであり、特許法第２９条第２項により特許を受けることができないものである。
　　　　　　　　　　　　　　　　　　　　　　　　　　　　　
（７）補正却下の判断
　以上のとおり、本願補正発明は、平成６年改正前特許法第１７条の２第４項で準用する同法第１２６条第３項の規定に違反するものであるので、平成１６年４月９日付の手続補正は、特許法第１５９条第１項で準用する特許法第５３条第１項の規定により却下されるべきものである。
　　　　　　　　　　　　　　　　　　　　　　　　　　　　　　
３．本願発明について
　平成１６年４月９日付の手続補正は上記のとおり却下されているので、平成１５年７月７日付の手続補正書における特許請求の範囲の請求項１に係る発明は、その請求項１において特定される以下のものである。
　　　　　　　　　　　　　　　　　　　　　　　　　　　　　　
　「景品球タンク，景品球払出装置が組付けられるプラスチック製の機構板をパチンコ機裏面の遊技盤取付枠に装着してなるパチンコ機において、前記景品球タンクの景品球を景品球払出装置に導くプラスチック製の屈曲樋の一部に銛形の係合片を一体に突設し、該係合片が係合する係合孔を前記機構板に開設すると共に、該機構板に該屈曲樋の一部に当接する位置決片を一体に突設
し、該係合孔の該係合片が係合する側と反対側の側縁に指掛用の突片を形成した
　　　　　　　　　　　　　　　　　　　　　　　　　　　
（１）引用刊行物について
　引用刊行物の記載およびそれら記載事項は、上記２．（２）引用刊行物についてに記載したとおりである。
　　　　　　　　　　　　　　　　　　　　　　　　　　
（２）対比・判断
　本願発明は、上記２．（４）判断で検討した本願補正発明の「機構板
の表側
の表側
　そうすると、本願発明の構成要件をすべて含み、さらに他の構成要件を付加したものに相当する本願補正発明が、上記２．（２）引用刊行物について〜（６）むすびに記載したとおり、引用刊行物１に記載された発明および引用刊行物２に記載された発明並びに周知慣用技術に基づいて、当業者が容易に発明することができたものであるので、特許法第２９条第２項の規定により特許を受けることができないものであるから、本願発明も、同様の理由により、引用刊行物１に記載された発明および引用刊行物２に記載された発明並びに周知慣用技術に基づいて、当業者が容易に発明をすることができたものである。
　　　　　　　　　　　　　　　　　　　　　　　　　　
（３）むすび
　以上のとおり、本願発明は、引用刊行物１に記載された発明および引用刊行物２に記載された発明並びに周知慣用技術に基づいて、当業者が容易に発明をすることができたものであるから、特許法第２９条第２項の規定により特許を受けることができない。
　よって、結論のとおり審決する。